(57)【要約】【課題】液体吸引供給装置の吸引ノズルに対して差し込み接続可能なカセット形式にて使用する装着、交換用の液体吸引供給容器であって、常に容器の排出口に対して確実に継続して吸引ノズルを密着接続保持することにより、排出口内に外部からの空気が浸入したり容器内の内容液が漏れ出さないようにすることにある。【解決手段】内壁１ａ及び外壁１ｂが筒状の胴壁部１と、その胴壁部１の一方の端部に設けた天壁部２と、該天壁部２に設けた胴壁部１の直径より小径の排出口部５と、その周囲に沿って近接して液体吸引供給装置側の容器取付用筒状ホルダーＢの天面板１１の挿入孔１２外周縁に係止する鉤止部３と、その胴壁部１の他方の端部に常に開放した開口部６ａを設けた天壁部６と、その胴壁部１の内壁面の全周に密接して天壁部２と底壁部６との間を胴壁部１の長さＬ方向に摺動移動可能な板状プランジャー８とから構成される。【選択図】図２
2005153907.tif 000002
【特許請求の範囲】
【請求項１】
内壁１ａ及び外壁１ｂが筒状の胴壁部１と、その胴壁部１の一方の端部に該胴壁部１の直径より小径の排出口部５を設けた天壁部２と、その胴壁部１の他方の端部に常に開放した開口部６ａを設けた底壁部６と、その胴壁部１の内壁面の全周に密接して天壁部２と底壁部６との間を胴壁部１の長さＬP 方向に摺動移動可能な板状プランジャー８とから構成された容器Ａであって、前記天壁部２と板状プランジャー８との間に充填収納した液状内容物Ｃを、前記容器Ａの排出口部５内に差し込み装着される液体吸引供給装置の液体吸引ノズル２１により容器Ａ外側に吸引供給する液体吸引供給容器において、前記天壁部２の排出口部５の周囲に沿って近接して少なくとも２個所乃至数個所に、前記液体吸引供給装置側の容器取付用の筒状ホルダーＢの天面板１１に孔設した前記容器Ａの排出口部５を挿入する挿入孔１２の外周縁に係止する鉤止部３が立設されていることを特徴とする筒型液体吸引供給容器。
【請求項２】
前記鉤止部３の係止爪３ａは、容器Ａの排出口部５に対して反対側に向いて設けられていることを特徴とする請求項１記載の筒型液体吸引供給容器。
【請求項３】
前記胴壁部１の外周面に、容器Ａの筒周方向の位置を決める突起部４が設けられ、前記容器取付用の筒状ホルダーＢの筒体部９の内周面に筒体長手方向に沿って凹溝部１５が設けられ、前記突起部４を凹溝部１５内に沿って嵌入させながら、胴壁部１の周方向の位置整合を行い、容器Ａを前記筒状ホルダーＢ内に装着されることを特徴とする請求項１又は２項記載の筒型液体吸引供給容器。
【請求項４】
前記胴壁部１と天壁部２の交差する肩壁部２ａの外周部に、容器Ａの胴壁部１の筒中心を通る軸線ＯA を、液体吸引供給装置の筒状ホルダーＢの筒体部１０の筒中心を通る軸線ＯB に整合させるための胴壁部１の直径より僅かに小径の異径導入部２ｂが設けられ、前記容器取付用の筒状ホルダーＢの天面板１１外周の３乃至数個所に設けた各々孔設部１３内に前記容器Ａの肩壁部２ａに向かって弾力的に当接する各々整合用弾性部材１４が前記筒体部１０の筒中心を通る軸線ＯB 方向に正対するように設けられ、前記肩壁部２ａ外周部の異径導入部２ｂの外面が、前記各々整合用弾性部材１４の内面に弾力的に当接しながら筒体部１０内に導入されて、前記容器Ａの軸線ＯA と筒状ホルダーＢの軸線ＯB とが整合するようにしたことを特徴とする請求項１乃至３のいずれか１項記載の筒型液体吸引供給容器。
【請求項５】
前記胴壁部１と天壁部２の交差する肩壁部２ａの外周部に、容器Ａの胴壁部１の筒中心を通る軸線ＯA を、液体吸引供給装置の筒状ホルダーＢの筒体部１０の筒中心を通る軸線ＯB に整合させるための胴壁部１の直径より僅かに小径の異径導入部２ｂを設け、前記容器取付用の筒状ホルダーＢの天面板１１外周の３乃至数個所に設けた孔設部１３の側縁部に、容器Ａの肩壁部２ａに向かって弾力的に当接する整合用弾性部材１４が設けられていることを特徴とする請求項１乃至４のいずれか１項記載の筒型液体吸引供給容器。
【請求項６】
前記胴壁部１と天壁部２の交差する肩壁部２ａの容器内面周囲に、容器成形用プラスチック射出ゲートから注入する樹脂を一旦絞ることにより形成した凹部１６が設けられていることを特徴とする請求項１乃至５のいずれか１項記載の筒型液体吸引供給容器。
【発明の詳細な説明】
【技術分野】
【０００１】
本発明は、洗剤、練り歯磨粉、インク、マヨネーズ、ケチャップ、ソース等の高粘度から中粘度（又は低粘度）の液体を収納し、吸引式の液体供給装置（例えば自吸式液体供給機械）に装着して、液体を吸引方式にて供給する筒型液体吸引供給容器に関するものである。
【背景技術】
【０００２】
一般的に容器にいれた内容物、例えば、豚カツ用ソース、マヨネーズなど食品類や、シャンプー、リンス、練り歯磨きなどトイレタリー関連品や、謄写版印刷用インク、シルクスクリーン印刷用インクなどを始めとする各種の生産加工材料品など、特に粘度の高い内容物は、これら内容物を入れた容器から排出されて他の加工手段に供給される際に、単に重力だけでは内容物は排出され難い。
【０００３】
そこで、液体吸引供給装置などを用いて容器の排出口から内容物を強制的に吸引することにより、初めて、内容物を所定の速度を保持して排出でき、他の加工手段に供給することができるものであり、その場合の液体吸引供給容器としては、容器の胴部がフレキシブルなプラスチックで製造されたブローボトルや袋に排出口を付けた容器などが使用されている。
【０００４】
例えば、上記液体吸引供給装置には、粘度のある内容物を液体吸引供給容器側から当該装置側に吸引するための容器の排出口（口元）に挿入される吸引ノズルを備えており、内容物を収納した液体吸引供給容器の排出口に刺すような方向で挿入するものであるが、吸引ノズルによる吸引供給動作中は、そのエアー吸引力によって容器の排出口と吸引ノズルとは良好な状態で密着接続しているが、吸引供給動作しない（吸引供給動作を休止させている）状態の時は、吸引ノズルによるエアー吸引力がゼロになるため、容器排出口と吸引ノズルとのエアー吸引力による密着接続状態は緩くなる。
【０００５】
その密着接続状態が緩くなった際に、容器排出口と吸引ノズルとの隙間から外部からの空気が浸入して、再度吸引しようとする時に、その浸入した空気に吸引力による膨張が起きて、肝心の内容物を吸引できない事態が発生する場合があり、また、容器内の内容液が漏れ出す心配もある。
【０００６】
そのためには、一度、容器を吸引供給装置に接続したら、最後まで、常に容器の排出口と吸引供給装置の吸引ノズルとが離反せずに吸引ノズルによるエアー吸引力がゼロになっても良好な密着接続を継続して外部からは空気が入らないように、容器の排出口を吸引供給装置の吸引ノズルに対して、又は吸引供給装置の吸引ノズルを容器の排出口に対して押し付けるようにして密着接続を保持する必要がある。
【０００７】
一般的に液体吸引供給容器として使用される容器の胴部がフレキシブルなプラスチックで製造されたブローボトルや、プラスチックフィルムにて製袋されたパウチ（袋状容器）などフレキシブル容器においては、内容物の粘度がきわめて低い場合や、人が手指にて容器を絞り出すマニュアル注出方式の場合には、容器からの注出は良好にできるが、内容物の粘度が高く、排出動作を自動化した吸引供給方式などの場合には、内容物の容器内残量が多くなる傾向があり、容器内から残量のほとんど無い状態になるように良好に内容物を絞り出すことは、かなり難しいものである。
【０００８】
プラスチックフィルムにて製袋された袋状容器にプラスチック製の排出口（注出口）を
融着したフレキシブル容器は、排出口の外周側に、該排出口に対して垂直（直交方向）にリング状に設けた鍔（フランジ部）を付け、その鍔をＵ字型にした受け治具に、液体吸引供給装置の吸引ノズルを差し込むことによって、容器排出口の口元が吸引供給装置の吸引ノズルに対して抜けて外れないようにしている。
【０００９】
ところで、上記筒状のブローボトルによるフレキシブル容器のように、使用する必要量のみ取り出せるようにした射出成形により成形された筒形状の容器は、その容器の筒状の胴部（ピストンシリンダーに相当する形状の筒体）の一方の端部に、排出口（口元部）を中心部分に形成した天壁部が設けられ、該筒形状の胴部の他方の端部は開放している。
【００１０】
その容器の胴部内部にあっては、胴部内面に付着する内容物を掻き取りながら、その容器内の内容物を排出口の方向に排出できるプランジャー（胴部内面に沿って摺動移動する外周面を備えたピストンヘッドに相当する形状の押し出しプレート）と、該プランジャーが容器胴部の開放された前記他方の端部から外側に外れないように、開放された他方の端部に嵌合して設けた部分的な開口部を設けた底壁部（又は係止用フランジ部（袴））と、その容器の一方の端部の天壁部の略中央部に設けた前記排出口に施蓋嵌合するキャップからなる。
【００１１】
上記筒状容器の筒状の排出口の口元は、吸引動作されない時には、吸引供給装置の吸引ノズルとの密着接続性が低下して、排出口に差しこまれた吸引ノズルから離反し易くなり、そこで排出口と差しこまれた吸引ノズルとの間から空気が浸入しないようにするために、常に、容器の排出口を吸引供給装置の差し込まれた吸引ノズル側に押し付けて、良好な密着接続性を保持しておく必要がある。
【００１２】
そのためには、1)容器の筒状胴部の前端部である排出口（口元）側を、下に向けて装着し、容器の排出口をその容器荷重によって常に吸引ノズル側に押し付けて密着接続性を保持するようにする、2)容器の筒状胴部の後端部（筒状胴部の開放する他方の端部）に当接する容器抜け防止用の支え棒を設け、常に吸引供給装置の吸引ノズル側に容器の排出口を押し付けて密着接続性を保持する方法が採られている。
【００１３】
しかしながら、上記1)の容器排出口を下にする方法では、容器を吸引供給装置に装着しようとしてキャップを開け、排出口を下方に向けた際に、内容物の一部や、特に内容物の分離して粘性の低くなった部分（上澄み液など）が排出口から不用意に流れ出たり、容器が内容物が少なくなって軽くなった時に装置から容易に外れ易くなる問題がある。
【００１４】
また、上記2)の後部に抜け防止用支え棒を吸引供給装置の吸引ノズルに対向して設置する方法では、容器を装着する前にキャップを開け、次に支え棒を移動して吸引ノズルとの対向間に容器を装着可能な間隔を開けて装着した後に、支え棒を容器の排出口側に移動して、容器が抜け外れないように固定する必要があり、また、全ての内容物を容器内から排出後に容器を装置から取り外し交換する際には、支え棒を容器の排出口側に対して反対側において吸引ノズルのノズル中心軸方向に向かう作用線上から完全に外し、容器の抜ける位置まで移動させるなどの複雑なアクション機構を持った装置にする必要があった。
【００１５】
また、このような容器の取り扱いにおいては、キャップを開けてから容器内の分離した成分（上澄み液など）が落ちて、周囲を汚さないようにする必要があり、また、内容物を収納した容器は重量があるので、容器を片手で保持して、手軽に吸引供給装置に装着、取り外し交換処理できるようにする必要がある。
【００１６】
以下に、先行技術文献を示す。
【特許文献１】特開２０００−２７２６６３号公報
【発明の開示】
【発明が解決しようとする課題】
【００１７】
本発明の課題は、液体吸引供給装置の吸引ノズルに対して差し込み接続可能なカセット形式にて使用する装着、交換用の筒型液体吸引供給容器であって、吸引供給容器の排出口と吸引ノズルとを簡単な機構で装着接続できるようにするとともに、液体吸引供給装置の吸引ノズルがエアー吸引動作を停止してエアー吸引力が低下若しくはゼロになっても、容器の排出口に吸引ノズルを差し込み接続中は、エアー吸引力の低下による容器の排出口と吸引ノズルとの密着接続性の低下を防止して、常に容器の排出口に対して確実に継続して吸引ノズルを密着接続保持することにより、排出口内に外部からの空気が浸入したり、容器内の内容液が漏れ出さないようにすることにある。
【課題を解決するための手段】
【００１８】
本発明の請求項１に係る発明は、図１に示すように、内壁１ａ及び外壁１ｂが筒状の胴壁部１と、その胴壁部１の一方の端部に該胴壁部１の直径より小径の排出口部５を設けた天壁部２と、その胴壁部１の他方の端部に常に開放した開口部６ａを設けた天壁部６と、その胴壁部１の内壁面の全周に密接して天壁部２と底壁部６との間を胴壁部１の長さＬP 方向に摺動移動可能な板状プランジャー８とから構成された容器Ａであって、前記天壁部２と板状プランジャー８との間に充填収納した液状内容物Ｃを、前記容器Ａの排出口部５内に差し込み装着される液体吸引供給装置の液体吸引ノズル２１により容器Ａ外側に吸引供給する液体吸引供給容器において、図１、図２に示すように、前記天壁部２の排出口部５の周囲に沿って近接して少なくとも２個所乃至数個所に、前記液体吸引供給装置側の容器取付用の筒状ホルダーＢの天面板１１に孔設した前記液体吸引ノズル２１を挿入する挿入孔１２の外周縁に係止する鉤止部３が立設されていることを特徴とする筒型液体吸引供給容器である。
【００１９】
本発明の請求項２に係る発明は、上記請求項１に係る筒型液体吸引供給容器において、前記鉤止部３の係止爪３ａは、排出口部５に対して反対側に向いて設けられていることを特徴とする筒型液体吸引供給容器である。
【００２０】
本発明の請求項３に係る発明は、上記請求項１又は２に係る筒型液体吸引供給容器において、前記胴壁部１の外周面に、容器Ａの筒周方向の位置を決める突起部４が設けられ、前記容器取付用の筒状ホルダーＢの筒体部９の内周面に筒体長手方向に沿って凹溝部１５が設けられ、前記突起部４を凹溝部１５内に沿って嵌入させながら、胴壁部１の周方向の位置整合を行い、容器Ａを前記筒状ホルダーＢ内に装着されることを特徴とする筒型液体吸引供給容器である。
【００２１】
本発明の請求項４に係る発明は、上記請求項１乃至３のいずれか１項に係る筒型液体吸引供給容器において、前記胴壁部１と天壁部２の交差する肩壁部２ａの外周部に、容器Ａの胴壁部１の筒中心を通る軸線ＯA を、液体吸引供給装置の筒状ホルダーＢの筒体部１０の筒中心を通る軸線ＯB に整合させるための胴壁部１の直径より僅かに小径の異径導入部２ｂが設けられ、前記容器取付用の筒状ホルダーＢの天面板１１外周の３乃至数個所に設けた各々孔設部１３内に前記容器Ａの肩壁部２ａに向かって弾力的に当接する各々整合用弾性部材１４が前記筒体部１０の筒中心を通る軸線ＯB 方向に正対するように設けられ、前記肩壁部２ａ外周部の異径導入部２ｂの外面が、前記各々整合用弾性部材１４の内面に弾力的に当接しながら筒体部１０内に導入されて、前記容器Ａの軸線ＯA と筒状ホルダーＢの軸線ＯB とが整合するようにしたことを特徴とする筒型液体吸引供給容器である。
【００２２】
本発明の請求項５に係る発明は、上記請求項１乃至４のいずれか１項に係る筒型液体吸
引供給容器において、前記胴壁部１と天壁部２の交差する肩壁部２ａの外周部に、容器Ａの胴壁部１の筒中心を通る軸線ＯA を、液体吸引供給装置の筒状ホルダーＢの筒体部１０の筒中心を通る軸線ＯB に整合させるための胴壁部１の直径より僅かに小径の異径導入部２ｂを設け、前記容器取付用の筒状ホルダーＢの天面板１１外周の３乃至数個所に設けた孔設部１３の側縁部に、容器Ａの肩壁部２ａに向かって弾力的に当接する整合用弾性部材１４が設けられていることを特徴とする筒型液体吸引供給容器である。
【００２３】
本発明の請求項６に係る発明は、上記請求項１乃至５のいずれか１項に係る筒型液体吸引供給容器において、前記胴壁部１と天壁部２の交差する肩壁部２ａの容器内面周囲に、容器成形用プラスチック射出ゲートから注入する樹脂を一旦絞ることにより形成した凹部１６が設けられていることを特徴とする筒型液体吸引供給容器である。
【発明の効果】
【００２４】
本発明の筒型液体吸引供給容器は、図１、図２に示すように、筒状の胴壁部１と、その胴壁部１の一方の端部に該胴壁部１の直径より小径の排出口部５を設けた底壁部２と、その胴壁部１の他方の端部に常に開放した開口部６ａを設けた底壁部６と、その胴壁部１の内壁面の全周に密接して天壁部２と底壁部６との間を胴壁部１の長さＬP 方向に摺動移動可能な板状（胴壁部１の全内周面に密に周接する円盤状又は角盤状）のプランジャー８とから構成された容器である。
【００２５】
そして、前記天壁部２と板状プランジャー８との間に充填収納した液状内容物Ｃを、前記排出口部５内に差し込み装着される液体吸引供給装置の液体吸引ノズル２１により容器外側に吸引供給する液体吸引供給容器である。
【００２６】
そして、前記天壁部２の排出口部５の周囲に沿って近接して、少なくとも２個所乃至数個所には、前記液体吸引供給装置側の容器取付用筒状ホルダーＢの天面板１１に孔設した前記液体吸引ノズル２１先端部が挿入している状態の挿入孔１２の外周縁に係止するための鉤止部３が立設しているものである。
【００２７】
そのため、本発明の液体内容物Ｃが収納された筒型液体吸引供給容器Ａは、図１に示すように、キャップ部７（図６（ａ）参照）を、容器Ａ本体の排出口部５から取り外した後、図３（Ｍは図中の拡大部分）に示すように、容器Ａの胴壁部１の外周面に突出して設けた突起部４を、液体吸引供給装置の容器取付用の筒状ホルダーＢの凹溝部１５内に沿ってスライドさせながら嵌入させ、図１、図２に示すように、容器Ａを液体吸引供給装置側の筒体部９と天板部１１からなる容器取付用の筒状ホルダーＢ内にＬA 方向に挿入し、容器Ａの天壁部２の排出口部５を、筒状ホルダーＢの天板部１１に孔設した挿入孔１２内に挿入し、容器Ａの排出口部５の周囲に立設された鉤止部３の爪部３ａを、その挿入孔１２の内周縁部に沿って係止するだけで、図３（Ｍは図中の拡大部分）に示すように、容器Ａを液体吸引供給装置の筒状ホルダーＢ内に装着固定することができる。
【００２８】
このようにして、容器Ａが筒状ホルダーＢの天板部１１に孔設した挿入孔１２の周縁部に排出口部５の周囲に立設された鉤止部３の爪部３ａによって係止されて、液体吸引供給装置の筒状ホルダーＢ内に装着固定されると同時に、図２に示すように、液体吸引供給装置側の容器取付用筒状ホルダーＢの天面板１１に孔設した挿入孔１２内に挿入している状態の吸引ノズル２１の先端部が、容器Ａの排出口部５内に密に差し込まれる。
【００２９】
容器Ａは、その排出口部５の周囲に立設された鉤止部３の爪部３ａが、筒状ホルダーＢの天板部１１に孔設した挿入孔１２の周縁部に沿って係止しているため、吸引ノズル２１の差し込まれた容器Ａは、その係止作用によって筒状ホルダーＢ内から外側方向には後退移動せず、その容器Ａの排出口部５の内周面と吸引ノズル２１先端部の外周面（必要に応
じて弾力性のあるＯリングを装着した外周面）とは、互いに密着した状態で装着固定状態を保持できるものである。
【００３０】
このように、本発明の筒型液体吸引供給容器は、容器Ａの排出口部５内に吸引ノズル２１の先端部が密に差し込また際に、容器Ａは、その排出口部５の周囲に立設された鉤止部３の爪部３ａが、筒状ホルダーＢの天板部１１に孔設した挿入孔１２の周縁部に沿って係止しているため、容器Ａは筒状ホルダーＢ内から外側方向に後退移動することがなく、互いに密着した状態で装着固定状態を保持できるので、容器Ａの排出口部５内に差し込まれた液体吸引供給装置の吸引ノズル２１が、エアー吸引動作を停止して、そのノズル２１のエアー吸引力が低下、若しくはゼロになっても、容器の排出口部５に吸引ノズル２１を差し込み接続中においては、エアー吸引力の低下による容器Ａの排出口部５と吸引ノズル２１との密着接続性の低下は防止でき、常に容器Ａの排出口部５に対して確実に継続して吸引ノズル２１を密着接続保持することができ、排出口部５内に外部からの空気が浸入したり、容器Ａ内の内容液Ｃが外側に漏れ出すことがない。
【００３１】
他方、容器Ａの排出口部５に密に差し込まれた液体吸引供給装置の吸引ノズル２１による吸引動作により、天壁部２と摺動移動可能な板状プランジャー８との間に充填収納されている液体内容物Ｃは、排出口部５と吸引ノズル２１の吸引路２１ａを通って液体吸引供給装置側に吸引供給されるとともに、容器Ａ内の摺動移動可能な板状プランジャー８が、容器Ａの底壁部６から天壁部２の方向ＬP に向かって摺動移動して、容器Ａ内から内容物Ｃがなくなり、容器Ａを、他の液体内容物Ｃが充填収納されている容器Ａと交換するために筒状ホルダーＢから取り外す際には、単に、容器Ａを、液体吸引供給装置側に取付け搭載されている前記筒状ホルダーＢの筒体部１０の長手方向外側に強く引っ張ることにより、筒状ホルダーＢの天板部１１に孔設した挿入孔１２の周縁部に沿って係止している容器Ａの鉤止部３のシャフト部３ｂが撓み、該鉤止部３の爪部３ａが挿入孔１２周縁部から外れて係止状態が解除され、容器Ａは筒状ホルダーＢ内から容易に取り外して交換することができる。
【００３２】
また、本発明の筒型液体吸引供給容器Ａは、図１、図２、図３、及び図６（ｂ）に示すように、前記胴壁部１の外周面に容器Ａの筒周方向の位置を決める突起部４、前記容器取付用の筒状ホルダーＢの筒体部９の内周面に筒体長手方向に沿って凹溝部１５が設けられているので、前記突起部４を凹溝部１５内に沿ってＬA 方向に嵌入させながら、胴壁部１の周方向の位置整合を行うことができ、容器Ａの胴壁部１の周方向を、常に一定な位置に整合させて、筒状ホルダーＢ内に装着することができる。
【００３３】
また、本発明の筒型液体吸引供給容器は、図２、図４、図５に示すように前記胴壁部１と天壁部２の交差する肩壁部２ａの外周部に、胴壁部１の直径より僅かに小径の異径導入部２ｂが設けられ、前記容器取付用の筒状ホルダーＢの天面板１１外周の３乃至数個所に設けた孔設部１３の側縁部に、容器Ａの肩壁部２ａに向かって弾力的に当接する整合用弾性部材１４が設けられているので、３乃至数個所に設けた整合用弾性部材１４によって導入部２ｂを容器Ａの軸線ＯA 方向に向かって弾力的に押し付けることにより、容器Ａの胴壁部１の筒中心を通る軸線ＯA を液体吸引供給装置の筒状ホルダーＢの筒体部１０の筒中心（及び吸引ノズル２１の中心）を通る軸線ＯB に整合させることができ、容器Ａの排出口部５及び該容器Ａの天壁部２に立設した鉤止部３の位置と、筒状ホルダーＢの挿入孔１２周縁部の位置とを、容易に整合させて正確にワンタッチにて装着することができる。
【００３４】
このように、本発明の筒型液体吸引供給容器は、液体吸引供給装置の吸引ノズル２１に対して差し込み接続可能なカセット形式にて使用する装着、交換用の液体吸引供給容器Ａとして使用でき、吸引供給容器Ａの排出口部５と液体吸引供給装置側の吸引ノズル２１とを簡単な機構で装着接続することができる。
【００３５】
また、本発明の筒型液体吸引供給容器は、図１、図２に示すように、容器Ａを製造する段階で、容器の前記胴壁部１と天壁部２の交差する肩壁部２ａの内面の周囲に凹部１６を設けたので、容器成形用プラスチック射出ゲートから注入する樹脂（例えばポリエチレン、ポリプロピレン等のポリオレフィン樹脂）を、天壁部２に充填した後に、凹部１６の成形位置にて一旦絞り込むことができ、このように一旦絞り込んだ上で、該天壁部２及び凹部１６の成形位置と連なる胴壁部１に対して樹脂を均一に送流して注入できるため、プラスチック射出成形の安定した生産が可能となる。
【発明を実施するための最良の形態】
【００３６】
本発明の筒型液体吸引供給容器を、図１〜図７に示す実施の形態に従って以下に詳細に説明すれば、図１は、本発明の容器Ａを説明する全体側断面図であり、図２は、本発明の容器Ａを液体吸引供給装置の容器取付用の筒状ホルダーＢ内に取付け装着した状態を説明する側断面図である。
【００３７】
本発明の容器Ａは、図１に示すように、円筒状（又は角筒状など多角形筒状）の胴壁部１であり、内壁１ａ及び外壁１ｂが筒状の胴壁部１の少なくとも内壁１ａの径は、その筒状の長手方向一端から他端まで同一径である。
【００３８】
胴壁部１の一方端には天壁部２、他方端には底壁部６を備え、該底壁部６には該胴壁部１の直径より小径の排出口部５を設け、底壁部６には常に開放した開口部６ａを設けてあり、該容器Ａ内には、その胴壁部１の内壁面の全周に密接して、天壁部２と底壁部６との間を胴壁部１の長さＬP 方向に摺動移動可能な板状プランジャー８が配置されていて、前記天壁部２と板状プランジャー８との間の空間部１ｃ内に、液状内容物Ｃが充填収納されている。なお、前記容器Ａの底壁部６は、図１に示すように、胴壁部１の他方端縁に対して凹凸嵌合により係止して取り付けできるようになっており、液状内容物Ｃは、容器Ａ（排出口部５には、図６（ａ）にて後述するキャップ部７が施蓋されている）の胴壁部１の他方端の底壁部６取り付け前の開放部側から充填収納することができる。
【００３９】
板状（偏平筒状又は柱状）のプランジャー８の構造は、そのプランジャー８の外周面の全面が、容器Ａの胴壁部１の内壁面全周に亘って密接しながら、該そのプランジャー８が胴壁部１の長さＬP 方向に摺動移動可能な構造であれば、本発明においては特にその構造の詳細を限定するものではないが、例えば、図１に示すようにプランジャー８の構造は、主に偏平筒状（又は柱状）の筒体部８ａ（又は柱体部８ａ）と、該筒体部８ａの筒上端を閉塞する水平な天板部８ｂ（又は柱体部８ａの上端の水平な天面部８ｂ）とからなる。
【００４０】
プランジャー８の筒体部８ａ（又は柱体部８ａ）には、その上端部から斜め上方に向かって拡がり、且つ徐々に肉薄となって、容器Ａの胴壁部１内壁面全周に密に接する上部フランジ部８ｄと、その下端部から斜め下方に向かって拡がり、且つ徐々に肉薄となって、容器Ａの胴壁部１内壁面全周に密に接する下部フランジ部８ｅとを備えていて、それぞれ前記上部フランジ部８ｄ、下部フランジ部８ｅの外周端は、その全周が、容器Ａの胴壁部１内壁面全周に密に接しながら胴壁部１の長さＬP 方向に摺動移動可能となっている。
【００４１】
そして、プランジャー８の上部フランジ部８ｄと下部フランジ部８ｅの外端の肉薄部分により、容器Ａの胴壁部１内壁面に付着する液体内容物Ｃが掻き取られながら、内容物Ｃは吸引ノズル２１により吸引され、容器Ａの排出口部５から吸引供給装置側に内容物Ｃが吸引供給される都度、プランジャー８は排出口５側に移動するものである。
【００４２】
なお、その他のプランジャー８の構造としては、前記上部フランジ部８ｄ、８ｅを省略して、筒体部８ａ（又は柱体部８ａ）の筒長さ方向の中間部分に、又は上端部と下端部と
に、その外周面に沿って、容器Ａの胴壁部１内壁面全周に密に接するゴム製、プラスチック製などの柔軟性のあるシーリング用のＯリング（オーリング、図示せず）を取り付け配置してもよい。また、プランジャー８の材質としては、滑り性や嵌合性の点から、ポリエチレン樹脂で製造することが適当である。
【００４３】
図１に示すように、前記容器Ａの排出口部５には、図２にて後述する液体吸引供給装置側の容器取付用筒状ホルダーＢの天面板１１に孔設した挿入孔１２内に挿入している状態で液体吸引ノズル２１の先端部が対峙しており、図２に示すように、液体吸引供給装置の容器取付用筒状ホルダーＢ内に、前記容器Ａが排出口部５側を先端方向にして、ＬA 方向に挿入装着された際には、液体吸引供給装置側の液体吸引ノズル２１が、前記容器Ａの排出口部５内に差し込み装着されて、液体吸引供給装置のバキューム吸引機構により動作する吸引ノズル２１のエアー吸引力により、容器Ａの排出口部５から容器Ａ外側の液体吸引供給装置側に液状内容物Ｃが吸引供給される。なお、液体吸引ノズル２１の先端には、必要に応じて容器Ａの排出口部５の内周面の全周面に密接する柔軟性のあるゴム製、プラスチック性などのＯリング２２（オーリング）が取り付けられている。
【００４４】
図１、図２の側断面図、図３の平面図に示すように、容器Ａの前記天壁部２の排出口部５周囲に沿って近接して、例えば、図示するように４個所、又は少なくとも２個所〜数個所には、前記液体吸引供給装置側の容器取付用の筒状ホルダーＢの天面板１１に孔設した前記液体吸引ノズル２１を挿入する挿入孔１２の外周縁に係止する鉤止部３が立設されている。
【００４５】
液体吸引供給装置側の容器取付用の筒状ホルダーＢは、図２に示すように、筒体部１０と、その筒体部１０の一端部に、前記液体吸引供給容器Ａを装着するための開口部１０ａとを備え、その筒体部１０の他端部には、容器Ａの排出口部５と鉤止部３とが挿入される挿入孔１２を孔設した天板部１１、又は排出口部５が挿入される挿入孔１２と鉤止部３と対応する位置に鉤止部３が挿入される別の挿入孔（図示せず）を孔設した天板部１１を備える。
【００４６】
筒状ホルダーＢの筒体部１０内には、図２の側断面図及び図３（Ｍは図中の拡大部分）の平面図に示すように、所定の僅かなクリアランスを以て、容器Ａが開口部１０ａ側から挿入され、挿入された容器Ａは、該容器Ａの天壁部２が天板部１１の内面に当接して停止するようになっており、停止した際には、筒状ホルダーＢの容器Ａの排出口部５と鉤止部３とが挿入されるように孔設した天板部１１の挿入孔１２内に、容器Ａの排出口部５が挿入されるとともに、容器Ａの排出口部５周囲に立設した複数の鉤止部３の排出口部５に対して反対側に向いた鉤止部３の係止爪３ａが、筒状ホルダーＢの天板部１１の挿入孔１２周縁部に沿って密に係止されて固定され、容器Ａは筒状ホルダーＢの筒体部１０内に装着固定される。その際には、容器Ａの底壁部６側の胴壁部１は、筒体部１０の開口部１０ａから外側に、僅かに（底壁部６側の胴壁部１を手指にて把握できる程度に）、露呈するようになっている。
【００４７】
図４、図５は、容器Ａの排出口部５周囲に立設した複数の鉤止部３の排出口部５に対して反対側に向いた鉤止部３の係止爪３ａが、筒状ホルダーＢの天板部１１の挿入孔１２周縁部に沿って密に係止されて固定され、容器Ａは筒状ホルダーＢの筒体部１０内に装着固定された状態を示す部分拡大側断面図であり、鉤止部３の詳細な形状は、本発明においては特に限定されるものではないが、例えば、図４に示すように、鉤止部３が立設シャフト状のもの、あるいは、図５に示すように、鉤止部３が立設シャフト状であって、そのシャフト部分に切抜部３ｃを設けることにより、鉤止部３のシャフト部分に弾力性を付与するようにしてもよい。
【００４８】
なお、排出口部５が挿入される挿入孔１２と鉤止部３が挿入される別の挿入孔（図示せず）を孔設した天板部１１の場合には、その挿入孔１２内には、容器Ａの排出口部５が挿入されるとともに、該挿入孔１２とは別に設けた挿入孔（図示せず）には鉤止部３が挿入されて、該鉤止部３がその挿入孔の周縁部に密に係止されて、容器Ａは筒状ホルダーＢの筒体部１０内に装着される。
【００４９】
筒状ホルダーＢには、該筒体部１０に該筒状ホルダーＢを液体吸引供給装置側に取り付け固定して搭載するための適宜形状の取付固定用ブラケット１０ｂが設けられている。
【００５０】
また、図６（ａ）の部分側面図に示すように、本発明容器Ａの排出口部５には、キャップ部７を螺着し、施蓋して、容器Ａを封止することができ、前記胴壁部１の外周面には、図３の平面図、図６（ｂ）の全体側面図に示すように、容器Ａの胴壁部１の外面に、筒周方向の位置を決めるための突起部４が設けられており、また、図３に示すように、前記液体吸引供給装置側の容器取付用筒状ホルダーＢの筒体部９の内周面には、筒体部の長手方向に沿って凹溝部１５が設けられている。そして、容器Ａの前記突起部４を、筒状ホルダーＢの凹溝部１５内に沿ってＬA 方向に嵌入させることにより、容器Ａの胴壁部１周方向の位置（位相）を筒状ホルダーＢに対して常に一定位置（位相）に整合して、容器Ａを筒状ホルダーＢ内に装着することができる。
【００５１】
また、容器Ａ本体は、その胴壁部１の外周面に設けた前記突起部４を、液体吸引供給装置側の筒状ホルダーＢの一部に設けられた前記凹溝部１５に沿って挿入されることによって、容器Ａの胴壁部１周方向の位置（位相）を筒状ホルダーＢに対して常に一定位置（位相）に整合して、容器Ａを筒状ホルダーＢ内に装着することができるので、装置側の筒状ホルダーＢの天板部１１に孔設した前記挿入孔１２の開口形状が、図３の平面図に示すような円形状でなくても、例えば、前記天板部１１の挿入孔１２の開口形状が四角形状や多角形状などであっても、その挿入孔１２の開口形状に合わせて、容器Ａ本体側にある係止用の鉤止部３の位置を整合することができる。
【００５２】
また、図１〜図３、及び図４、図５の前記胴壁部１と天壁部２の交差する肩壁部２ａの拡大側断面図に示すように、本発明容器Ａの前記胴壁部１と天壁部２の交差する肩壁部２ａの外周部には、容器Ａの胴壁部１の筒中心を通る容器軸線ＯA を、液体吸引供給装置の筒状ホルダーＢの筒体部１０の筒中心を通るホルダー軸線ＯB に整合させるための胴壁部１の直径より僅かに小径の異径導入部２ｂが設けられている。
【００５３】
また、前記容器取付用の筒状ホルダーＢの筒体部１０と天面部１１との交差する肩壁部１１ａの３個所又は４個所又はそれ以上の数個所には孔設部１３が設けられ、該孔設部１３内には、図２の容器Ａ及び筒状ホルダーＢの側断面図に示すように、天面部１１に取り付け固定された弾性部材１４の先端部が、又は図４、図５の容器Ａ及び筒状ホルダーＢの肩壁部２ａ、１１ａ部分の拡大側断面図に示すように、前記肩壁部１１ａ近傍の筒体部１０に取り付け固定された弾性部材１４の先端部が、筒状ホルダーＢ内方の軸線ＯB 方向に向かって延設されていて、容器Ａを筒状ホルダーＢの筒体部１０内に挿入した際に、それぞれ該弾性部材１４の先端部は、容器Ａの前記肩壁部２ａに対して筒状ホルダーＢ内方の軸線ＯB 方向に向かって弾力的に当接し、容器Ａの胴壁部１の筒中心を通る軸線ＯA を、液体吸引供給装置の筒状ホルダーＢの筒体部１０の筒中心を通る軸線ＯB に整合させることができる。
【００５４】
また、本発明容器Ａの前記胴壁部１と天壁部２の交差する肩壁部２ａの容器内面周囲には、容器成形用プラスチック射出ゲートから注入する樹脂（例えばポリエチレン、ポリプロピレン等のポリオレフィン樹脂）を、容器Ａを製造する段階で、一旦、絞り込み注入することにより凹部１６を必要に応じて設けることができるものである。
【００５５】
本発明の容器Ａの胴壁部１、天壁部２、底壁部６など全ての構造部分は、基本的には、ポリプロピレンの射出成形で製造されるが、落下強度の必要性から、通常、エチレンとプロピレンとの共重合ポリマーを使用することが適当である。
【図面の簡単な説明】
【００５６】
【図１】本発明の筒型液体吸引供給容器の一実施の形態を説明する全体側断面図。
【図２】本発明の筒型液体吸引供給容器を液体吸引供給装置の容器取付用の筒状ホルダーに装着した状態を説明する側断面図。
【図３】本発明の筒型液体吸引供給容器を液体吸引供給装置の容器取付用の筒状ホルダーに装着した状態を説明する平面図であり、Ｍは図中の拡大部分を示す。
【図４】本発明の筒型液体吸引供給容器を液体吸引供給装置の容器取付用の筒状ホルダーに装着した状態を説明する部分拡大側断面図。
【図５】本発明の筒型液体吸引供給容器を液体吸引供給装置の容器取付用の筒状ホルダーに装着した状態を説明する部分拡大側断面図。
【図６】（ａ）は本発明の筒型液体吸引供給容器をキャップにて施蓋した状態を説明する部分側断面図、（ｂ）は本発明の液体吸引供給容器の胴壁部の外周に突起部を設けた状態を説明する側面図。
【符号の説明】
【００５７】
Ａ…筒型液体吸引供給容器  Ｂ…液体吸引供給装置側の容器取付用筒状ホルダー
Ｃ…液状内容物  ＯA …容器軸線  ＯB …ホルダー軸線
１…胴壁部  ２…天壁部  ２ａ…肩壁部  ２ｂ…導入部  ３…鉤止部  ３ａ…爪部
４…突起部  ５…排出口部
６…底壁部  ６ａ…開口部  ７…キャップ部  ８…プランジャー  ８ａ…筒体部
８ｂ…天面部  ８ｃ…中空部  ８ｄ…上部フランジ部  ８ｅ…下部フランジ部
１０…筒体部  １０ａ…開口部  １０ｂ…筒状ホルダーブラケット  １１…天面板
１１ａ…肩壁部  １２…挿入孔  １３…孔設部  １４…弾性部材  １５…凹溝部
１６…肉薄部
２１…吸引ノズル  ２２…Ｏリング
【図１】
2005153907.tif 000003
【図２】
2005153907.tif 000004
【図３】
2005153907.tif 000005
【図４】
2005153907.tif 000006
【図５】
2005153907.tif 000007
【図６】
2005153907.tif 000008